(57)【要約】【課題】  悪意による攻撃的な発信を行っている発信者からの通話以外の目的の呼を規制し、ネットワークの輻輳を解消する。【解決手段】  トラフィック制御システムに、発信者の端末と着信者の端末との間の相互通信を確立するための制御信号を前記通信ネットワークから抽出する信号抽出手段と、抽出された前記制御信号を解析し、発信側途中放棄の通信を検出する信号解析手段と、発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成する制御対象判定手段と、前記輻輳制御情報で示される規制キーに合致する通信の数量が、該輻輳制御情報で示される接続制御量を超えた場合に通信を拒否する接続制御手段とを備える。【選択図】    図１
2006129294.tif 000002
【特許請求の範囲】
【請求項１】
通信ネットワークにおける輻輳を解消するためにトラフィックを制御するトラフィック制御システムであって、
発信者の端末と着信者の端末との間の相互通信を確立するための制御信号を前記通信ネットワークから抽出する信号抽出手段と、
抽出された前記制御信号を解析し、発信側途中放棄の通信を検出する信号解析手段と、
発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成する制御対象判定手段と、
前記輻輳制御情報で示される規制キーに合致する通信の数量が、該輻輳制御情報で示される接続制御量を超えた場合に通信を拒否する接続制御手段と、
を備えることを特徴とするトラフィック制御システム。
【請求項２】
前記信号解析手段は、抽出された前記制御信号を解析して相互通信まで状態が遷移した完了通信の数量を測定し、
前記制御対象判定手段は、前記特定された制御対象の発信者が要求した通信の完了通信の数量を基に前記接続制御量を決定する、
ことを特徴とする請求項１に記載のトラフィック制御システム。
【請求項３】
前記制御対象判定手段は、通信を途中放棄した発信者が複数である場合に、要求した通信の発信側途中放棄の数量が多い順、または、要求した通信の完了通信及び発信側途中放棄の合計数量が多い順、または、要求した通信数量に占める発信側途中放棄数量の比率が多い順に優先度を決定し、この優先度に基づいて接続量の制御対象の発信者を特定する、
ことを特徴とする請求項１または請求項２に記載のトラフィック制御システム。
【請求項４】
前記制御対象判定手段は、発信側途中放棄の数量が閾値以上である発信者を接続量の制御対象の発信者として特定する、
ことを特徴とする請求項１から請求項３のいずれかの項に記載のトラフィック制御システム。
【請求項５】
前記制御対象判定手段は、発信側途中放棄の数量に基づいて網への影響度を分類し、この分類に応じて前記接続制御量を決定する、
ことを特徴とする請求項１または請求項２に記載のトラフィック制御システム。
【請求項６】
前記制御対象判定手段は、前記特定された制御対象の発信者が、所定の前記影響度に分類された回数に応じて前記接続制御量を決定する、
ことを特徴とする請求項５に記載のトラフィック制御システム。
【請求項７】
接続制御手段を複数有する場合に、前記接続制御量から各接続制御手段における接続制御量を算出し、この算出した接続制御量と前記規制キーとの情報を含む輻輳制御情報を前記接続制御手段へ通知する輻輳制御管理手段をさらに備える、
ことを特徴とする請求項１から請求項６のいずれかの項に記載のトラフィック制御システム。
【請求項８】
前記接続制御手段は、前記接続制御対象の発信者に関わる通信のトラフィックの情報を収集する、
ことを特徴とする請求項１から請求項７のいずれかの項に記載のトラフィック制御システム。
【請求項９】
完了通信の数量、発信側途中放棄の数量、及び、接続制御量は、単位時間当りの通信数である、
ことを特徴とする請求項１から請求項８のいずれかの項に記載のトラフィック制御システム。
【請求項１０】
前記通信は、インターネットプロトコルを用いた呼である、
ことを特徴とする請求項１から請求項９のいずれかの項に記載のトラフィック制御システム。
【請求項１１】
発信者の端末と着信者の端末との間の相互通信を確立するための制御信号を前記通信ネットワークから抽出する信号抽出装置と、
前記通信ネットワーク上で輻輳が発生していることを検知する輻輳検知装置と、
通信の接続数量を制御する接続制御装置とからなり、
通信ネットワークにおける輻輳を解消するためにトラフィックを制御するトラフィック制御システムに用いられる前記輻輳検知装置であって、
前記信号抽出装置により抽出された前記制御信号を解析し、発信側途中放棄の通信を検出する信号解析手段と、
発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成し、この輻輳制御情報を前記接続制御装置に受け渡して通信の接続数量の制御を指示する制御対象判定手段と、
を備えることを特徴とする輻輳検知装置。
【請求項１２】
通信ネットワークにおける輻輳を解消するためにトラフィックを制御するトラフィック制御システムに用いられるトラフィック制御方法であって、
発信者の端末と着信者の端末との間の相互通信を確立するための制御信号を前記通信ネットワークから抽出する信号抽出過程と、
抽出された前記制御信号を解析し、発信側途中放棄の通信を検出する信号解析過程と、
発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成する制御対象判定過程と、
前記輻輳制御情報で示される規制キーに合致する通信の数量が、該輻輳制御情報で示される接続制御量を超えた場合に通信を拒否する接続制御過程と、
を有することを特徴とするトラフィック制御方法。
【請求項１３】
発信者の端末と着信者の端末との間の相互通信を確立するための制御信号を前記通信ネットワークから抽出する信号抽出装置と、
前記通信ネットワーク上で輻輳が発生していることを検知する輻輳検知装置と、
通信の接続数量を制御する接続制御装置とからなり、
通信ネットワークにおける輻輳を解消するためにトラフィックを制御するトラフィック制御システムの前記輻輳検知装置に用いられるトラフィック制御方法であって、
前記信号抽出装置により抽出された前記制御信号を解析し、発信側途中放棄の通信を検出する信号解析過程と、
発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成し、この輻輳制御情報を前記接続制御装置に受け渡して通信の接続数量の制御を指示する制御対象判定過程と、
を有することを特徴とするトラフィック制御方法。
【請求項１４】
通信ネットワークにおける輻輳を解消するためにトラフィックを制御するトラフィック制御システムに用いられるコンピュータプログラムであって、
発信者の端末と着信者の端末との間の相互通信を確立するための制御信号を前記通信ネットワークから抽出する信号抽出ステップと、
抽出された前記制御信号を解析し、発信側途中放棄の通信を検出する信号解析ステップと、
発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成する制御対象判定ステップと、
前記輻輳制御情報で示される規制キーに合致する通信の数量が、該輻輳制御情報で示される接続制御量を超えた場合に通信を拒否する接続制御ステップと、
をコンピュータに実行させることを特徴とするコンピュータプログラム。
【請求項１５】
発信者の端末と着信者の端末との間の相互通信を確立するための制御信号を前記通信ネットワークから抽出する信号抽出装置と、
前記通信ネットワーク上で輻輳が発生していることを検知する輻輳検知装置と、
通信の接続数量を制御する接続制御装置とからなり、
通信ネットワークにおける輻輳を解消するためにトラフィックを制御するトラフィック制御システムの前記輻輳検知装置に用いられるコンピュータプログラムであって、
前記信号抽出装置により抽出された前記制御信号を解析し、発信側途中放棄の通信を検出する信号解析ステップと、
発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成し、この輻輳制御情報を前記接続制御装置に受け渡して通信の接続数量の制御を指示する制御対象判定ステップと、
をコンピュータに実行させることを特徴とするコンピュータプログラム。
【発明の詳細な説明】
【技術分野】
【０００１】
本発明は、トラフィック制御システム及び方法、輻輳検出装置、ならびに、コンピュータプログラムに関する。
【背景技術】
【０００２】
従来技術における輻輳検知方法は、呼の集中点となる着信側において、その集中状況から輻輳を検知していた。そのため、輻輳要因となる着信側呼集中先の電話番号を特定し、当該電話番号を対象に呼を規制するなどの接続制御を行う方式を採用していた。
また、特許文献１には、輻輳が複数発生した場合に、優先順位に基づいて優先的に解消すべき輻輳を特定し、この輻輳の原因となる呼の接続数を制御することにより、安定したＩＰ電話サービスを提供することについて記載されている。
【特許文献１】特開２００４−８８６６６号公報
【発明の開示】
【発明が解決しようとする課題】
【０００３】
近年、ネットワークの輻輳は、着信側において呼が集中する以外にも、発信側で短時間にトラヒックが連続的に加わる状況も存在している。代表的な例としては、多数の電話番号に発呼し、着信者が応答する前に呼を切断して着信者側の端末に着信履歴として自身の電話番号を残すことにより着信者にその電話番号へかけなおしさせ、有料サイトなどに誘導するという悪意呼、いわゆる「ワン切り」がある。
着信先の電話番号等を指定して着信呼の接続制御を行う従来技術を発信側での発信呼集中に適用しようとした場合、以下の問題が生じる。
（１）特定の発信者からの多量の発信を検出することが出来ず、ネットワークの輻輳要因となる発信者を特定することは困難である。
（２）ネットワークの輻輳要因となる発信者からの呼だけではなく、接続制御対象の着信先に向けて発信する他の加入者からの呼も接続制御の対象となってしまう。
【０００４】
また、加入者からの発信呼に対する接続制御を行う場合、加入者毎の発信のパターンから通話を目的とした呼と、それ以外の呼に分類し、通話目的以外の呼に対して優先的に接続制御を行うことが望ましい。しかしながら、従来技術の場合、発信のパターンからその目的が通話なのかそれ以外なのかを特定することが出来ない。従って、ネットワーク輻輳時に接続制御対象とすべき発信者に適切な優先度を設けることが出来ず、一部の加入者の悪意による攻撃的な発信行為により、通話目的の発信者に対しても悪意を持った発信者と同様に接続制御を行ってしまうおそれがあった。
【０００５】
この発明は、このような事情を考慮してなされたもので、その目的は、悪意による攻撃的な発信を行っている発信者からの通話以外の目的の呼を規制し、ネットワークの輻輳を解消することができるトラフィック制御システム及び方法等を提供することにある。
【課題を解決するための手段】
【０００６】
上記目的を達成するために、本発明は、通信ネットワークにおける輻輳を解消するためにトラフィックを制御するトラフィック制御システムであって、発信者の端末と着信者の端末との間の相互通信を確立するための制御信号を前記通信ネットワークから抽出する信号抽出手段と、抽出された前記制御信号を解析し、発信側途中放棄の通信を検出する信号解析手段と、発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成する制御対象判定手段と、前記輻輳制御情報で示される規制キーに合致する通信の数量が、該輻輳制御情報で示される接続制御量を超えた場合に通信を拒否する接続制御手段と、を備えることを特徴とするトラフィック制御システムである。
【０００７】
また、本発明は、上述するトラフィック制御システムであって、前記信号解析手段は、抽出された前記制御信号を解析して相互通信まで状態が遷移した完了通信の数量を測定し、前記制御対象判定手段は、前記特定された制御対象の発信者が要求した通信の完了通信の数量を基に前記接続制御量を決定する、ことを特徴とする。
【０００８】
また、本発明は、上述するトラフィック制御システムであって、前記制御対象判定手段は、通信を途中放棄した発信者が複数である場合に、要求した通信の発信側途中放棄の数量が多い順、または、要求した通信の完了通信及び発信側途中放棄の合計数量が多い順、または、要求した通信数量に占める発信側途中放棄数量の比率が多い順に優先度を決定し、この優先度に基づいて接続量の制御対象の発信者を特定する、ことを特徴とする。
【０００９】
また、本発明は、上述するトラフィック制御システムであって、前記制御対象判定手段は、発信側途中放棄の数量が閾値以上である発信者を接続量の制御対象の発信者として特定する、ことを特徴とする。
【００１０】
また、本発明は、上述するトラフィック制御システムであって、前記制御対象判定手段は、発信側途中放棄の数量に基づいて網への影響度を分類し、この分類に応じて前記接続制御量を決定する、ことを特徴とする。
【００１１】
また、本発明は、上述するトラフィック制御システムであって、前記制御対象判定手段は、前記特定された制御対象の発信者が、所定の前記影響度に分類された回数に応じて前記接続制御量を決定する、ことを特徴とする。
【００１２】
また、本発明は、上述するトラフィック制御システムであって、接続制御手段を複数有する場合に、前記接続制御量から各接続制御手段における接続制御量を算出し、この算出した接続制御量と前記規制キーとの情報を含む輻輳制御情報を前記接続制御手段へ通知する輻輳制御管理手段をさらに備える、ことを特徴とする。
【００１３】
また、本発明は、上述するトラフィック制御システムであって、前記接続制御手段は、前記接続制御対象の発信者に関わる通信のトラフィックの情報を収集する、ことを特徴とする。
【００１４】
また、本発明は、上述するトラフィック制御システムであって、完了通信の数量、発信側途中放棄の数量、及び、接続制御量は、単位時間当りの通信数である、ことを特徴とする。
【００１５】
また、本発明は、上述するトラフィック制御システムであって、前記通信は、インターネットプロトコルを用いた呼である、ことを特徴とする。
【００１６】
また、本発明は、発信者の端末と着信者の端末との間の相互通信を確立するための制御信号を前記通信ネットワークから抽出する信号抽出装置と、前記通信ネットワーク上で輻輳が発生していることを検知する輻輳検知装置と、通信の接続数量を制御する接続制御装置とからなり、通信ネットワークにおける輻輳を解消するためにトラフィックを制御するトラフィック制御システムに用いられる前記輻輳検知装置であって、前記信号抽出装置により抽出された前記制御信号を解析し、発信側途中放棄の通信を検出する信号解析手段と、発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成し、この輻輳制御情報を前記接続制御装置に受け渡して通信の接続数量の制御を指示する制御対象判定手段と、を備えることを特徴とする輻輳検知装置である。
【００１７】
また、本発明は、通信ネットワークにおける輻輳を解消するためにトラフィックを制御するトラフィック制御システムに用いられるトラフィック制御方法であって、発信者の端末と着信者の端末との間の相互通信を確立するための制御信号を前記通信ネットワークから抽出する信号抽出過程と、抽出された前記制御信号を解析し、発信側途中放棄の通信を検出する信号解析過程と、発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成する制御対象判定過程と、前記輻輳制御情報で示される規制キーに合致する通信の数量が、該輻輳制御情報で示される接続制御量を超えた場合に通信を拒否する接続制御過程と、を有することを特徴とするトラフィック制御方法である。
【００１８】
また、本発明は、発信者の端末と着信者の端末との間の相互通信を確立するための制御信号を前記通信ネットワークから抽出する信号抽出装置と、前記通信ネットワーク上で輻輳が発生していることを検知する輻輳検知装置と、通信の接続数量を制御する接続制御装置とからなり、通信ネットワークにおける輻輳を解消するためにトラフィックを制御するトラフィック制御システムの前記輻輳検知装置に用いられるトラフィック制御方法であって、前記信号抽出装置により抽出された前記制御信号を解析し、発信側途中放棄の通信を検出する信号解析過程と、発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成し、この輻輳制御情報を前記接続制御装置に受け渡して通信の接続数量の制御を指示する制御対象判定過程と、を有することを特徴とするトラフィック制御方法である。
【００１９】
また、本発明は、通信ネットワークにおける輻輳を解消するためにトラフィックを制御するトラフィック制御システムに用いられるコンピュータプログラムであって、発信者の端末と着信者の端末との間の相互通信を確立するための制御信号を前記通信ネットワークから抽出する信号抽出ステップと、抽出された前記制御信号を解析し、発信側途中放棄の通信を検出する信号解析ステップと、発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成する制御対象判定ステップと、前記輻輳制御情報で示される規制キーに合致する通信の数量が、該輻輳制御情報で示される接続制御量を超えた場合に通信を拒否する接続制御ステップと、をコンピュータに実行させることを特徴とするコンピュータプログラムである。
【００２０】
また、本発明は、発信者の端末と着信者の端末との間の相互通信を確立するための制御信号を前記通信ネットワークから抽出する信号抽出装置と、前記通信ネットワーク上で輻輳が発生していることを検知する輻輳検知装置と、通信の接続数量を制御する接続制御装置とからなり、通信ネットワークにおける輻輳を解消するためにトラフィックを制御するトラフィック制御システムの前記輻輳検知装置に用いられるコンピュータプログラムであって、前記信号抽出装置により抽出された前記制御信号を解析し、発信側途中放棄の通信を検出する信号解析ステップと、発信側途中放棄の通信が検出された場合に、前記通信を途中放棄した発信者を接続量の制御対象として特定し、前記特定された制御対象の発信者から要求される通信を許容可能な数量を示す接続制御量と、前記特定された制御対象の発信者から要求される通信を識別する規制キーとの情報を含む輻輳制御情報を生成し、この輻輳制御情報を前記接続制御装置に受け渡して通信の接続数量の制御を指示する制御対象判定ステップと、をコンピュータに実行させることを特徴とするコンピュータプログラムである。
【発明の効果】
【００２１】
上記発明によれば、ネットワーク輻輳時にその要因が発信者側に存在する場合、要因となる発信者を特定し、この発信者から要求される呼数などの通信量を制限する接続制御を行うことが可能となる。また、接続制御対象の発信者については、着信側との相互接続（通話等）あるいは相互接続以外など、発信目的により差別化した接続制御を行い、本来の着信側との相互接続を目的とした通信を優先的にネットワークに流入させることが可能になる。
これにより、通話などの相互接続が目的の通信のためにネットワークのリソースを最大限発揮することが可能となる。従って、ネットワークリソースの利用率が向上するため、設計上の設備容量を従来の設計基準に比べて小さくする事が可能になり、設備投資額を削減することが可能となる。さらに、ネットワーク輻輳時に加わる通信に占める相互接続通信の比率を高めることが可能となり、通話料などの通信料また、収入を高める事が可能となる。
【発明を実施するための最良の形態】
【００２２】
以下、図面を参照し、この発明の実施の形態について説明する。
なお、以下の実施の形態は、あくまでも本発明の説明のためのものであり、本発明の範囲を制限するものではない。したがって、当業者であれば、これらの各要素又は全要素を含んだ各種の実施の形態を採用することが可能であるが、これらの実施の形態も本発明の範囲に含まれる。
また、実施の形態を説明するための全図において、同一要素のものは同一符号を付与し、これらに関する反復説明は省略する。
【００２３】
図１は本発明の一実施の形態に係るトラフィック制御システムの構成を示すブロック図である。
トラフィック制御システムは、信号抽出装置１に設けられた信号抽出部２と、輻輳検知装置３に設けられた信号解析部４及びワン切り判定部５（制御対象判定手段）と、輻輳制御管理装置６に設けられた輻輳制御管理部７と、呼接続制御装置８ａ（接続制御装置）に設けられた呼接続制御部９ａ（接続制御手段）と、呼接続制御装置８ｂ（接続制御装置）に設けられた呼接続制御部９ｂ（接続制御手段）とを有する。
【００２４】
また、呼接続制御装置８ａ（呼接続制御部９ａ）は信号抽出装置１（信号抽出部２）及びＩＰ（Internet Protocol）網１０ａを介してＩＰ電話端末（以下、“端末”とする）１１ａ、１１ｂ及び１１ｃと接続され、呼接続制御装置８ｂ（呼接続制御部９ｂ）は信号抽出装置１（信号抽出部２）及びＩＰ網１０ｂを介して端末１１ｄ、１１ｅ及び１１ｆと接続されている。
【００２５】
なお、本実施の形態においては、呼接続制御装置と呼接続制御部を其々２個有する構成としたが、これに限定されず、其々を１個あるいは３個以上有する構成とすることもできる。
また、呼接続制御装置８ａ及び８ｂを適宜“呼接続制御装置８”、呼接続制御部９ａ及び９ｂを適宜“呼接続制御部９”、ＩＰ網１０ａ及び１０ｂを適宜“ＩＰ網１０”、端末１１ａ、１１ｂ、１１ｃ、１１ｄ、１１ｅ及び１１ｆを適宜“端末１１”と総称する。
また、本図においては、説明を容易にするため、ソフトスイッチ等のＩＰ電話網を実現するための機器の記載は省略している。
【００２６】
信号抽出部２は、ＩＰ網１０を介して端末１１間で送受される通話制御信号を抽出し、この抽出した通話制御信号を複製して信号解析部４へ転送する。
信号解析部４は、信号抽出部２から転送された通話制御信号のメッセージ内容を解析し、単位時間あたりの接続呼数及び発信側途中放棄呼数を発信側の端末１１毎に測定する。接続呼数とは、完了呼の数、すなわち、通話状態まで状態が遷移した呼の数であり、発信側途中放棄呼数とは、通話状態に遷移する前に発信側が切断した呼の数である。
【００２７】
ワン切り判定部５は、信号解析部４が測定した単位時間当たりの発信側途中放棄呼数を基にワン切り判定を行う。ここで、ワン切りとは、多数の電話番号に発呼し、着信者の応答前に呼を切断して着信者側の端末に着信履歴として自身の電話番号を残すことにより、着信者にその電話番号へかけなおしさせる呼である。ワン切り判定部５は、ＩＰ網１０に輻輳をもたらすワン切り、すなわち、攻撃的ワン切り行為と判定した場合、この攻撃的ワン切り行為を行った加入者単位に接続制御量を算出する。接続制御量は、単位時間あたりに発信を許容する呼数である。そして、攻撃的ワン切り行為を行った加入者（以下、「ワン切り加入者」と記載）からの呼を識別するための規制キーと、算出した接続制御量の情報とからなる輻輳制御情報を輻輳制御管理部７へ通知する。規制キーとしては、発信電話番号、ＵＲＬ（Universal Resource Locator）、ＩＰアドレスなどを用いることができる。ＳＩＰ（Session Initiation Protocol）を通話制御信号として用いた場合、発信電話番号、ＵＲＬ、ＩＰアドレスは、呼の接続を要求するためのＩＮＶＩＴＥメッセージなどから抽出することができる。
【００２８】
輻輳制御管理部７は、ワン切り判定部５から輻輳制御情報を受信し、輻輳制御情報に基づいて接続制御を実行させるべき呼接続制御装置８（呼接続制御部９）を特定する。そして、特定した呼接続制御装置８の呼接続制御部９へ、ワン切り加入者の端末１１からの呼に対する接続制御を依頼するための接続制御指示信号を送信する。接続制御指示信号には、接続制御対象のワン切り加入者からの呼を識別するための規制キーと、依頼先の呼接続制御装置８（呼接続制御部９）における接続制御量の情報を含む輻輳制御情報が含まれる。
【００２９】
呼接続制御部９は、ＩＰ網１０から抽出した通話制御信号を解析し、輻輳制御管理部７から受けた輻輳制御情報に基づいて呼損処理による接続制御を行う。また、呼接続制御部９は、接続制御結果を輻輳制御管理部７へ通知する。呼損処理においては、ＩＰ電話の呼の接続を制御するソフトスイッチ等と相互動作することにより、接続制御量で定められた呼数のみ呼接続処理を継続させ、余剰分の呼については、呼接続処理を拒否する。
【００３０】
なお、上記の動作は所定の周期に則り、反復して行われる。
【００３１】
図２は、図１の信号抽出部２の構成を示すブロック図である。信号抽出部２は、通話制御信号を中継する通話制御信号中継部２１と、通話制御信号を複製する通話制御信号複製部２２と、複製された通話制御信号を信号解析部４に送信する通話制御信号送信部２３とを有する。
【００３２】
図３は、図１の信号解析部４の構成を示すブロック図である。信号解析部４は、通話制御信号受信部４１、途中放棄呼数測定部４２、接続呼数測定部４３、及び、測定結果送信部４４を有する。
通話制御信号受信部４１は、信号抽出部２より通話制御信号を受信する。途中放棄呼数測定部４２は、受信された通話制御信号を解析し、発信側途中放棄呼数を測定する。接続呼数測定部４３は、受信された通話制御信号を解析し、接続呼数を測定する。測定結果送信部４４は、途中放棄呼数測定部４２が測定した発信側途中放棄呼数及び接続呼数測定部４３が測定した接続呼数の情報を示す測定結果情報をワン切り判定部５に送信する。
【００３３】
図４は、図１のワン切り判定部５の構成を示すブロック図である。
ワン切り判定部５は、測定結果受信部５１、判定実行部５２、優先順位決定部５３、接続制御量決定部５４、輻輳制御情報生成部５５、輻輳制御情報送信部５６、制御状況情報受信部５７、及び、制御状況情報蓄積部５８を有する。
測定結果受信部５１は、信号解析部４より測定結果情報を受信する。判定実行部５２は、受信された測定結果情報に基づいて、現在接続制御対象ではない加入者から攻撃的ワン切りが発生しているか否かを判定する。優先順位決定部５３は、現在接続制御対象ではない加入者から攻撃的ワン切りが発生していると判定した場合、当該加入者の優先順位を決定し、この優先順位に基づき接続制御対象の加入者を決定する。接続制御量決定部５４は、接続制御対象の加入者からの呼の接続制御量を決定する。輻輳制御情報生成部５５は、接続制御対象の呼を識別するための規制キーと、この規制キーで識別される呼の接続制御量との情報を含む輻輳制御情報を生成する。輻輳制御情報送信部５６は、生成された輻輳制御情報を輻輳制御管理部７に送信する。
制御状況情報受信部５７及び制御状況情報蓄積部５８については後述する。
【００３４】
図５は、輻輳制御管理部７の構成を示すブロック図である。
輻輳制御管理部７は、輻輳制御情報受信部７１、制御元決定部７２、接続制御指示信号生成部７３、接続制御指示信号送信部７４、指示応答信号受信部７５、トラフィック情報受信部７６、制御状況情報生成部７７、及び、制御状況情報送信部７８を有する。
輻輳制御情報受信部７１は、ワン切り判定部５より輻輳制御情報を受信する。制御元決定部７２は、接続制御を行う呼接続制御装置８を特定する。接続制御指示信号生成部７３は、受信された輻輳制御情報に基づき、接続制御を行う呼接続制御装置８へ送信する接続制御指示信号を生成する。接続制御指示信号送信部７４は、生成された接続制御指示信号を接続制御を行う呼接続制御装置８に送信する。
なお、指示応答信号受信部７５、トラフィック情報受信部７６、制御状況情報生成部７７及び制御状況情報送信部７８については後述する。
【００３５】
図６は、図１の呼接続制御部９の構成を示すブロック図である。
呼接続制御部９は、接続制御指示信号受信部９１、接続制御実行部９２、指示応答信号生成部９３、指示応答信号送信部９４、トラフィック監視部９５、トラフィック情報生成部９６、及び、トラフィック情報送信部９７を有する。
接続制御指示信号受信部９１は、輻輳制御管理部７から接続制御指示信号を受信する。接続制御実行部９２は、受信された接続制御指示信号に含まれる輻輳制御情報内の規制キー及び接続制御量に基づいて接続制御を行う。
指示応答信号生成部９３は、接続制御実行部９２により接続制御が行われると、その旨を記した指示応答信号を生成する。指示応答信号送信部９４は、生成された指示応答信号を輻輳制御管理部７に送信する。
また、トラフィック監視部９５は、ＩＰ網１０におけるトラフィックを監視する。トラフィック情報生成部９６は、トラフィック監視部９５によるトラフィックの監視結果を示すトラフィック情報を生成する。トラフィック情報送信部９７は、生成されたトラフィック情報を輻輳制御管理部７に送信する。トラフィック情報には、トラヒック測定時間、ＩＰ網１０におけるトラヒック量、ＩＰ網１０の負荷状況、現在接続制御対象の規制キー、規制キーで識別される発信者からの呼を接続したあるいは呼損にした呼数、接続あるいは呼損にした日時等の情報が含まれる。
上記の動作は、全ての呼接続制御部９（図１に示した場合においては、呼接続制御部９ａ及び９ｂ）により実行される。
【００３６】
呼接続制御部９から送信された指示応答信号は、図５の指示応答信号受信部７５により受信され、同じく呼接続制御部９から送信されたトラフィック情報は、図５のトラフィック情報受信部７６により受信される。
図５の制御状況情報生成部７７は、受信された指示応答信号とトラフィック情報とに基づいて制御状況情報を生成する。この制御状況情報を、前述の２種類の情報から生成することにより、接続制御の履歴と、この接続制御によるトラフィックの変化量、つまり接続制御の成否の両方を得ることができる。制御状況情報送信部７８は、生成された制御状況情報をワン切り判定部５に送信する。
上記のように輻輳制御管理部７から送信された制御状況情報は、図４の制御状況情報受信部５７により受信され、受信された制御状況情報は、制御状況情報蓄積部５８に蓄積される。前述の判定実行部５２は、攻撃的ワン切りが発生しているか否かを判定を行うにあたって、この制御状況情報を用いて、現在接続制御対象の発信者の情報を得る。
【００３７】
図７は、信号抽出部２による通話制御信号の抽出を説明する図である。信号抽出部２の通話制御信号中継部２１は、ＩＰ網１０上を流れる信号を収集する。そして、収集した信号をＩＰ網１０へ送出する。通話制御信号複製部２２は、通話制御信号中継部２１が収集した信号のうち通話制御信号のみを抽出して複製する。通話制御信号送信部２３は、複製された通話制御信号を信号解析部４に送信する。
【００３８】
図８は、ＳＩＰを通話制御信号として用いた場合の呼の状態遷移を示す図である。
なお、図中の応答コード１８０は「Ringing（呼び出し中）」、すなわち、着信側の端末１１を呼び出していることを示し、応答コード２００は「ＯＫ」、すなわち、着信側の端末１１が応答したことを示す。また、応答コード４０１は、「Unauthorized （認可されていない）」、応答コード４０７は「Proxy Authentication Required（プロキシ認証が必要）」、応答コード５０３は「Service Unavailable（サービスを利用できない）」旨を示す。
また、上記の応答コードは、百の位でその意味が分類されており、図中の４ｘｘ（４００番台）は「リクエスト失敗応答」、５ｘｘ（５００番台）は「サーバでの失敗応答」、６ｘｘ（６００番台）は「グローバル失敗応答」を示す。
【００３９】
同図において、端末１１が発呼し、ＩＮＶＩＴＥメッセージが送信されると、ステップＳ１０１の試行中状態（ステップＳ１０１）に遷移する。この試行中状態（ステップＳ１０１）において、応答コード１８０の１８０レスポンスを受信した場合、着信側の端末１１を呼び出している呼出中状態（ステップＳ１０２）に遷移する。
呼出中状態（ステップＳ１０２）において、応答コード２００の２００レスポンスが通知された場合、応答の承認待ち状態（ステップＳ１０３）に遷移する。また、試行中状態（ステップＳ１０１）において、２００レスポンスが通知された場合、応答の承認待ち状態（ステップＳ１０４）に遷移する。
ステップＳ１０３あるいはステップＳ１０４における応答の承認待ち状態において、応答の承認が通知された場合、最終状態である完了呼状態（ステップＳ１０７）に遷移する。
信号解析部４の接続呼数測定部４３は、通話中状態（ステップＳ１０７）へ遷移した呼を検出して接続呼数を計測する。
【００４０】
また、試行中状態（ステップＳ１０１）、呼出中状態（ステップＳ１０２）、あるいは、応答の承認待ち状態（ステップＳ１０３またはステップＳ１０４）において、発信側の端末１１が途中放棄することによりキャンセルが送信された場合、キャンセルの承認待ち状態（ステップＳ１０５）に遷移する。キャンセルが承認された場合、最終状態である発側断呼状態（ステップＳ１０８）へ遷移する。
信号解析部４の途中放棄呼数測定部４２は、発側断呼状態（ステップＳ１０８）へ遷移した呼を検出して発信側途中放棄呼数を計測する。
【００４１】
なお、通話制御信号には、ＳＩＰの他に、Ｈ．３２３やＭＧＣＰ（Media Gateway Control Protocol）などの既存のＩＰ電話プロトコルが使用されうるが、他のプロトコルを利用してもよい。
【００４２】
次に、ワン切り判定部５における攻撃的ワン切りの検出判定手順を以下に示す。
ワン切り判定部５は、以下の（式１）に示す条件を満足する時、当該加入者をワン切り加入者と判定する。すなわち、攻撃的ワン切り検出を検出するために予め定められた閾値である攻撃的ワン切り検出閾値より発信側途中放棄呼数が多い発信者を攻撃的ワン切り状態にあると判断し、ワン切り加入者と特定する。ただし、［call/測定周期］は、任意の時間の測定周期あたりの呼数を示す単位であり、例えば、測定周期が１分であれば、［call/min］となる。
【００４３】
加入者単位の発信側途中放棄呼数［call/測定周期］＞攻撃的ワン切り検出閾値［call/測定周期］  …（式１）
【００４４】
なお、（式１）を用いず、発信側途中放棄を行った現在接続制御対象ではない加入者全てについて優先順位を付与し、接続制御対象の加入者を決定してもよい。
【００４５】
また、接続制御量は、以下のように算出する。
接続制御量は、ワン切り加入者であると判定された個々の加入者単位に決定する。この接続制御量は、制御処理周期あたりの呼数で示される制御コード総量［call/制御周期］で表され、この制御コード総量は、（式２）に示す候補Ａ、または、（式３）に示す候補Ｂとなる。候補Ａは、デフォルトの値であり、候補Ｂは、接続呼数より算出される値である。候補Ｂは、具体的には、ワン切り加入者の接続呼数と所定の制御量算出係数の積により算出される。ただし、ワン切り加入者の接続呼数は、最新の測定周期の情報に基づき集計された値とする。なお、候補Ｂとして、接続呼数そのものを使用してもよい。
【００４６】
候補Ａ＝デフォルトの制御コード総量［call/制御周期］  …（式２）
【００４７】
候補Ｂ＝接続呼数より算出する制御コード総量
＝ワン切り加入者の接続呼数［call/測定周期］×制御量算出係数  …（式３）
【００４８】
制御コード総量は、候補Ｂを使用するが、候補Ｂの算出が不可能な場合にのみ候補Ａを使用する。すなわち、制御コード総量は、以下の（式４）で示される条件となる。
【００４９】
制御コード総量[call/制御周期]＝候補Ａ＜候補Ｂ  …（式４）
【００５０】
なお、すでに接続制御中のワン切り加入者からの呼については、接続制御が解除されるまで、判定を行わない。なお、以下の（１）〜（３）全ての条件を満足する場合、接続制御が解除される。なお、総要求呼数には、発信者途中放棄呼数（ワン切り呼数）が含まれる。
（１）  発信者途中放棄呼数  ≦  発信者途中放棄呼数用解除しきい値
（２）  総要求呼数  ≦  総要求呼数用解除しきい値
（３）  総要求呼数に占める発信者途中放棄呼数の比率  ≦  総要求呼数に占める発信者途中放棄呼数の比率用解除しきい値
【００５１】
図９は、上記のトラフィック制御システムの動作手順を示すシーケンス図である。
信号抽出装置１において、信号抽出部２の通話制御信号中継部２１が、ＩＰ網１０を流れる通話制御信号を抽出すると、通話制御信号複製部２２は、抽出された通話制御信号を複製する（ステップＳ２１０）。通話制御信号送信部２３は、複製した通話制御信号を輻輳検知装置３へ送信する（ステップＳ２２０）。
【００５２】
輻輳検知装置３における信号解析部４の通話制御信号受信部４１は、通話制御信号を受信すると（ステップＳ２３０）、通話制御信号を複製して途中放棄呼数測定部４２及び接続呼数測定部４３へ受け渡す（ステップＳ２４０）。途中放棄呼数測定部４２は発信側途中放棄呼数を発信者毎に測定し（ステップＳ２５０）、接続呼数測定部４３は発信側途中放棄呼を行った発信者の接続呼数を発信者毎に測定する（ステップＳ２６０）。信号解析部４は、発信側途中放棄呼を行った加入者の識別情報と、当該加入者の発信側途中放棄呼数及び接続呼数の情報からなる測定結果情報をワン切り判定部５に送信する（ステップＳ２７０）。
【００５３】
ワン切り判定部５の測定結果受信部５１は、信号解析部４から測定結果情報を受信する（ステップＳ２８０）。判定実行部５２は、受信した測定結果情報により、現在接続制御を行っていない加入者から攻撃的ワン切りが発生しているか否かの判定を行う（ステップＳ２９０）。現在接続制御の対象ではなく、かつ、攻撃的ワン切りを行っているワン切り加入者がいると判定されると（ステップＳ２９０：Ｙｅｓ）、優先順位決定部５３は、ワン切り加入者を特定して優先順位を決定する（ステップＳ３００）。優先順位決定部５３は、単位時間あたりの発信側途中放棄呼数が多い順、または、単位時間あたりの接続呼数と発信側途中放棄呼数との合計呼数が多い順、あるいは、要求した呼数（総要求呼数）に占める発信側途中放棄呼数の比率が多い順に、優先順位が高いと判断する。そして、優先度の高い順に所定数や所定の割合のワン切り加入者を接続制御対象として決定する。
【００５４】
接続制御量決定部５４は、接続制御対象と決定した加入者からの呼の接続制御量を算出する（ステップＳ３１０）。輻輳制御情報生成部５５は、接続制御対象と決定された加入者からの呼を識別するための規制キーと、算出された接続制御量との情報を含む輻輳制御情報を生成する（ステップＳ３２０）。輻輳制御情報送信部５６は、生成された輻輳制御情報を輻輳制御管理装置６へ送信する（ステップＳ３３０）。
なお、ステップＳ２９０において、すでに接続制御対象であるか、攻撃的ワン切りが発生していないと判定された場合（ステップＳ２９０：Ｎｏ）、次の測定結果情報の受信を行う（ステップＳ２８０）。
【００５５】
輻輳制御管理装置６における輻輳制御管理部７の輻輳制御情報受信部７１は、ワン切り判定部５から送信された輻輳制御情報を受信する（ステップＳ３４０）。制御元決定部７２は、接続制御対象の呼接続制御装置８を決定する（ステップＳ３５０）。ここでは、トラフィック制御システム内に備えられた全ての呼接続制御装置８が選択されるが、例えば、ワン切り加入者からの呼処理を制御するソフトスイッチと相互動作する呼接続制御装置８のみを選択してもよい。
【００５６】
接続制御指示信号生成部７３は、選択された各呼接続制御装置８へ送信する接続制御指示信号を生成する（ステップＳ３６０）。接続制御指示信号に含まれる輻輳制御情報には、ワン切り判定部５から受信した輻輳制御情報に含まれる規制キーと、接続制御依頼先の呼接続制御装置８における接続制御量の情報が含まれる。接続制御依頼先の各呼接続制御装置８における接続制御量は、ワン切り判定部５から受信した輻輳制御情報に含まれる接続規制量から算出される。例えば、ワン切り判定部５から受信した輻輳制御情報で示される接続制御量を、各呼接続制御装置８へ均等に分配する。あるいは、相互動作するソフトスイッチにおける呼量などに応じて分配してもよい。接続制御指示信号送信部７４は、生成された接続制御指示信号を各呼接続制御装置８へ送信する（ステップＳ３７０）。
【００５７】
呼接続制御装置８における呼接続制御部９の接続制御指示信号受信部９１は、輻輳制御管理装置６から接続制御指示信号を受信する（ステップＳ３８０）。接続制御実行部９２は、受信した接続制御指示信号に含まれる輻輳制御情報に従い、ワン切り加入者からの呼に対する接続制御を実行する（ステップＳ３９０）。
【００５８】
図１０は、他の実施の形態によるトラフィック制御システムの動作手順を示すシーケンス図である。
信号抽出部２においてＩＰ網１０を流れる通話制御信号を抽出してから、ワン切り判定部５が、信号解析部４から受信した測定結果情報により、現在接続制御を行っていない加入者から攻撃的ワン切りが発生しているか否かの判定を行うまでのステップＳ４１０〜ステップＳ４９０までの動作は、図９のステップＳ２１０〜ステップＳ２９０までの動作と同じである。
【００５９】
ワン切り判定部５の判定実行部５２は、網への影響度を分類するため、検出した攻撃的ワン切りが、軽度であるか重度であるかの判定を行う（ステップＳ５００）。これは、測定結果情報で示される発信者途中放棄呼数が、軽度あるいは重度の攻撃的ワン切りを判定するための所定の閾値以上であるか否かにより行う。そして、ワン切り加入者の識別情報、軽度あるいは重度の判定結果、判定日時等を内部に履歴情報として記憶する。
【００６０】
発信者途中放棄呼数が重度の攻撃的ワン切りの閾値以上である場合には重度であると判断し（ステップＳ５００：重度）、続いて、このワン切り加入者が、攻撃的ワン切りの常習者であるか否かを判定する（ステップＳ５１０）。これは、内部に記憶している履歴情報から、当該ワン切り加入者が過去に軽度あるいは重度であると判定された回数が、所定の閾値以上であるか否かにより行う。軽度あるいは重度であると判定された回数が閾値を超えない場合は常習ではないと判断する（ステップＳ５１０：Ｎｏ）。この場合、図９におけるステップＳ３１０〜ステップＳ３９０と同様の処理により、接続制御量を決定して輻輳制御情報を輻輳制御管理部７へ送信し、呼接続制御部９は輻輳制御管理部７から受信した接続制御情報に従い接続制御を実行する（にステップＳ５２０〜ステップＳ６００）。
【００６１】
一方、軽度あるいは重度と判定された回数が閾値以上ある場合には常習であると判断し（ステップＳ５１０：Ｙｅｓ）、当該ワン切り加入者が要求する呼を全て呼損にするための輻輳制御情報を生成する（ステップＳ６１０）。これは、例えば、０[call/制御周期]を設定した接続制御量と、ワン切り加入者からの呼を識別するための規制キーとを設定した輻輳制御情報を生成する。そして、生成した輻輳制御情報を送信する以降の処理は、ステップＳ５４０以降の処理と同様である。
【００６２】
発信者途中放棄呼数が軽度の攻撃的ワン切りの閾値以上であり、かつ、重度の攻撃的ワン切りの閾値を超えない場合には軽度であると判断し（ステップＳ５００：軽度）、続いて、このワン切り加入者が、攻撃的ワン切りの常習者であるか否かを判定する（ステップＳ６２０）。これは、ステップＳ５１０と同様の処理により行う。そして、重度であると判定した場合には（ステップＳ６２０：Ｙｅｓ）、当該ワン切り加入者が要求する呼を全て呼損にするための輻輳制御情報を生成して送信するステップＳ６１０以降の処理を行う。
一方、ステップＳ６２０において、常習ではないと判断された場合は（ステップＳ６２０：Ｎｏ）、監視のみを行うことを示す輻輳制御情報を生成する（ステップＳ６３０）。これは、例えば、規制キーのみを含んだ輻輳制御情報を生成する。そして、生成した輻輳制御情報を送信するステップＳ５４０以降の処理を行う。
【００６３】
呼接続制御部９は、輻輳制御管理部７から接続制御指示信号を受信すると、接続制御量に関わらず、規制キーで識別されるワン切り加入者に関する呼のＩＰ網１０におけるトラフィックを監視し、そのトラフィック情報を輻輳制御管理部７へ送信する。輻輳制御管理部７は、受信したトラフィック情報から生成した制御状況情報をワン切り判定部５へ送信する。ワン切り判定部５は、制御状況情報を履歴情報として内部に記憶する。また、信号解析部４は、ステップＳ４５０において、発信者途中放棄を行った加入者の識別情報、発信者途中放棄を行った日時等を履歴情報として記憶しておく。これらの履歴情報は、必要に応じて管理者へ提供される。
【００６４】
なお、呼接続制御装置８における呼接続制御部９を、ＩＰ網１０を構成するルータに備えることでもよい。これにより、端末１１に近いルータにおいて、ワン切り加入者からの通話制御信号をフィルタし、集中制御を行う。
すなわち、輻輳制御管理装置６の輻輳制御管理部７は、呼接続制御部９を備えたルータに接続制御指示信号を通知する。接続制御指示信号を受信したルータにおいては、ＩＮＶＩＴＥメッセージなど呼の接続を要求する通話制御信号に、通知された輻輳制御情報で示される規制キーと一致する呼の識別情報が含まれているか否かを判定する。規制キーと一致する呼の識別情報が含まれている、すなわち、ワン切り加入者からの呼であると判定した場合には、輻輳制御情報で示される接続制御量に応じて呼損処理を実施する。
通常、ワン切りによる輻輳は、ＩＰ網１０において、発信端末１１と発側ソフトスイッチとの間のどこかのルートにおいて発生するが、より発信端末１１に近いルートにおいて発生する可能性が高いことが想定される。これは、発信端末近傍でのＩＰパケットの集中度が極めて高いことを意味する。従って、呼の接続制御を行うポイントを物理的により発信側の端末１１に近づけるほうが、輻輳の解消に効果的である。
【００６５】
上記実施形態によれば、以下のような効果がある。
（１）加入者の発信行為を通話目的かそれ以外であるかを識別し、発信の目的が通話以外である加入者に対して接続制御を行うことができる。
（２）通話以外の目的の発信、すなわち、攻撃的発信を行う発信者に対する接続制御の制御強度を、その加入者が本来通話したい意思部分を通過させ、悪意を持っての攻撃的発信のトラヒックに限定して呼損とするよう設定することができる。また、この制御強度、すなわち、通過させることができる呼数を接続呼数から自動的に算出することが可能となる。
（３）攻撃的発信のトラヒックとその発信者の検出を、呼処理を実施するＩＰ網上の構成機器から切り出した別装置である輻輳検出装置３において実現することにより、網の構造に依存せずにトラヒック制御システムをネットワークへ導入することが容易となる。また、輻輳若しくはその兆候が発生しているかを判定するための手段をネットワーク構成機器其々に設ける必要がなく、コストの低減が可能となる。
（４）ワン切り行為などの攻撃的発信の検出動作条件を、個々のＩＰ網上の構成機器のソフトウェア条件、及び、ハードウェア条件とは関係なく、対象網で送受される呼制御プロトコル、すなわち、網を構成する機器の種別に依存しない共通的な条件（プロトコル）のみに依存するようにした。これにより、トラヒック制御システムの汎用性が高く、また、適用範囲が広いため、網への導入が容易となる。
【００６６】
なお、上記においては、ＩＰプロトコルを用いた電話システムにおける呼を接続制御対象としているが、呼以外にも、発信者の端末と着信者の端末との間で相互接続を確立して行う通信にも適用することができる。
【００６７】
なお、上述の信号抽出装置１、輻輳検知装置３、輻輳制御管理装置６、及び、呼接続制御装置８は、内部にコンピュータシステムを有している。そして、上述した信号抽出装置１の信号抽出部２、輻輳検知装置３の信号解析部４及びワン切り判定部５、輻輳制御管理装置６の輻輳制御管理部７、ならびに、呼接続制御装置８の呼接続制御部９の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００６８】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００６９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００７０】
【図１】本発明の一実施の形態によるトラフィック制御システムの構成を示すブロック図である。
【図２】図１の信号抽出部の構成を示すブロック図である。
【図３】図１の信号解析部の構成を示すブロック図である。
【図４】図１のワン切り判定部の構成を示すブロック図である。
【図５】図１の輻輳制御管理部の構成を示すブロック図である。
【図６】図１の呼接続制御部の構成を示すブロック図である。
【図７】図１の信号抽出部による通話制御信号の抽出を説明する図である。
【図８】ＳＩＰを用いた呼の状態遷移を示す図である。
【図９】図１のトラフィック制御システムの動作手順を示す図である。
【図１０】他の実施の形態によるトラフィック制御システムの動作手順を示す図である。
【符号の説明】
【００７１】
１  …  信号抽出装置
２  …  信号抽出部
３  …  輻輳検知装置
４  …  信号解析部
５  …  ワン切り判定部（制御対象判定手段）
６  …  輻輳制御管理装置
７  …  輻輳制御管理部
８ａ、８ｂ  …  呼接続制御装置（接続制御装置）
９ａ、９ｂ  …  呼接続制御部（接続制御手段）
１０ａ、１０ｂ  …  ＩＰ網
１１ａ、１１ｂ、１１ｃ、１１ｄ、１１ｅ、１１ｆ…    端末
２１  …  通話制御信号中継部
２２  …  通話制御信号複製部
２３  …  通話制御信号送信部
４１  …  通話制御信号受信部
４２  …  途中放棄呼数測定部
４３  …  接続呼数測定部
４４  …  測定結果送信部
５１  …  測定結果受信部
５２  …  判定実行部
５３  …  優先順位決定部
５４  …  接続制御量決定部
５５  …  輻輳制御情報生成部
５６  …  輻輳制御情報送信部
５７  …  制御状況情報受信部
５８  …  制御状況情報蓄積部
７１  …  輻輳制御情報受信部
７２  …  制御元決定部
７３  …  接続制御指示信号生成部
７４  …  接続制御指示信号送信部
７５  …  指示応答信号受信部
７６  …  トラフィック情報受信部
７７  …  制御状況情報生成部
７８  …  制御状況情報送信部
９１  …  接続制御指示信号受信部
９２  …  接続制御実行部
９３  …  指示応答信号生成部
９４  …  指示応答信号送信部
９５  …  トラフィック監視部
９６  …  トラフィック情報生成部
９７  …  トラフィック情報送信部
【図１】
2006129294.tif 000003
【図２】
2006129294.tif 000004
【図３】
2006129294.tif 000005
【図４】
2006129294.tif 000006
【図５】
2006129294.tif 000007
【図６】
2006129294.tif 000008
【図７】
2006129294.tif 000009
【図８】
2006129294.tif 000010
【図９】
2006129294.tif 000011
【図１０】
2006129294.tif 000012